(57)【要約】【課題】  一般知られている軟質プラスチックバッグは、バッグの色、絵柄が決まっていて、気分によっては満足できないファッションになり、色、絵柄に飽きることもあった。季節、天候、その日の服装や気分により好みの絵柄のシートを飾ってバッグの雰囲気を変えて楽しむ事を提供すること。【解決手段】  透明または透かして見える軟質プラスチックフィルムシート製の外側部から成るバッグの内側に外側部に追従して変形可能な特性の内側部を隙間なく組み合わせ、更にその内側部表面にすべり止め加工することで、外側部と内側部、そして間に入れるシートを固定する。更に外側部にはポケットの開口部を覆う位置まで延出させた折り返しをつけ、バッグとしての機能性を高めることで上記課題を解決するものである。【選択図】  図１
2011193890.tif 000002
【特許請求の範囲】
【請求項１】
軟質プラスチックバッグの表面模様の取り替えを自由にする為に、透明又は透かして見える軟質プラスチックフィルムシートで作る外側部と、当該外側部に追従して変形可能の特性を備え、かつ、表面に片面すべり止め加工をしてある内側部の間にシートを容易に入れ替え可能なことを特徴とする手提げバッグ。
【請求項２】
前記軟質プラスチックバッグの外側部の上端に折り返し部を設け、当該折り返し部分で内側部を覆って内側に折り込み、外側部と内側部の間に入れたシートを密着させ安定させると共に、内側部の裏面に設けたポケットの開口部を覆う位置まで延出させたことを特徴とする請求項一記載の手提げバッグ。
【発明の詳細な説明】
【技術分野】
【０００１】
本発明は、軟質プラスチック製手提げバッグに関する。
【背景技術】
【０００２】
一般に知られているプラスチックバッグは、透明プラスチックバッグの中に無地か絵柄のついた中袋を入れたものと、プラスチックバッグに模様の描かれたバッグがある。どちらのバッグも絵柄が決まっている。更に絵柄に乏しく、時に服装と調和しにくく、気分的にも満足出来ない時があり、絵柄によっては飽きることもある。特開２０００−１５７３１７、特開２００３−０２６１８６、登録実用新案３１４８１６７号、登録実用新案３１２６０３９号、登録実用新案３１０６７２４号、登録実用新案３０６５３３４号は、いずれもバッグの絵柄は取り替えできないものである。季節や天候、その日の服装や気分により気軽にバッグの絵柄を自由に取り替えて楽しみたい。
【０００３】
【特許文献１】特開２０００−１５７３１７号公報
【特許文献２】特開２００３−０２６１８６号公報
【特許文献３】登録実用新案３１４８１６７号
【特許文献４】登録実用新案３１２６０３９号
【特許文献５】登録実用新案３１０６７２４号
【特許文献６】登録実用新案３０６５３３４号
【発明の開示】
【発明が解決しようとする課題】
【０００４】
解決しようとする問題点は、透明バッグの中に無地又は絵柄のついた中袋を入れたプラスチックバッグもプラスチックに模様の描かれたプラスチックバッグも、絵柄の種類が乏しく、時にファッション感覚としては満足出来ないままに使用することになる。本発明の目的は、季節や天候、更にその日の気分で、バッグの表面の雰囲気を好みの色や絵柄のシ−トや写真で容易に飾って調和させることを提供する。
【課題を解決するための手段】
【０００５】
プラスチックバッグの外側部Xは、透明又は透かして見える軟質プラスチック製のシート又はフィルムで、内側部Yは外側部Xに追従して変形可能の特性を備えた生地を使用して外側部Xと内側部Yを合わせてバッグに仕立て、外側部Xと内側部Yの間に好みのシートSを外側部Xと内側部Yの間の大きさ、即ちバッグの表面になる部分を同じ大きさにカットして容易に入れ替え出来る様にすることである。
【０００６】
バッグの表面を見た目にきれいにする為には、バッグの仕立て方と、内側部Yの表面又は外側部Ｘの裏面に片面すべり止め加工をした材質が良い。例えば、内側部Yと外側部Ｘとの間に入れたシートSとの接触面はシートSの片寄りやバッグ底部へのずれを防止することになる。又、外側部Xと内側部Ｙは隙間なく２枚重ねの生地にして、外側部Xと内側部Yの間にシートSを固定させる事である。
【０００７】
バッグ上部は、手提げ部Tを取り付ける位置Taであって、内側部Yと外側部Xの上端は、隙間が出来ない様に外側上部に充分な持ち出しを作り、折り返し部Xaとして、内側部Yを上部から覆って内側に折り込み、外側部Xと内側部Yの間に入れたシートSを密着させ安定させる。更に内側部Yの裏面に設けたポケットPの開口部を覆う位置まで延出させてポケットPを保護し、バッグとしての機能性を高める。
【発明の効果】
【０００８】
本発明は、バッグ一つが、天候、季節、その日の服装や気分により、好みの色、絵柄の生地、写真、又は、絵等のシートS等を、バッグの表面として容易に飾って楽しめる事と、バッグの外側部Xと内側部Yの間に入れたシートSはすべて外側部Xでカバーした状態で使用するので、汚れたり傷んだりすることはなく大切に保護できる。
【図面の簡単な説明】
【０００９】
【図１】本発明に係る一実施の形態の軟質プラスチックバッグの斜視図。
【図２】軟質プラスチックバッグの断面図。
【図３】軟質プラスチックバッグの断面図と外側部と内側部の間にシートを入れる場合に、外側部の折り返し部を開いた図。
【発明を実施するための形態】
【００１０】
好みの色や絵柄のシートS、そして写真や絵を自由にバッグの表面として容易に取り替えできる様にする為には、透明又は透かして見える軟質プラスチックフィルムシートで外側部Xを成したバッグを作り、外側部Xに追従して変形可能な特性を備えた内側部Yと隙間なく組み合わせることで外側部Xと内側部Yの間に好みのシートSを、外側部Xと内側部Yの間の大きさ、即ち、バッグの表面に合わせた大きさにカットして入れることができる。
【００１１】
バッグの外側部Xと内側部Yの間に入れたシートSを固定する為には、内側部Yの表面又は、外側部Ｘの裏面にシートSの片寄りやバッグの底部へのずれを防止する為に片面すべり止め加工がしてある生地が良い。しかし、バッグの重量が重くなってはいけない。
【００１２】
更に外側部X上部は、内側部Yの裏に設けたポケットPの上部を覆う位置まで延出した折り返し部Xaを作り、内側部Y上部を覆って内側に折り込み、外側部Xと内側部Yをより密着させ、シートを固定させることになる。更にポケットP上部を覆う位置まで延出した折り返し部Xaは、ポケットPを保護する事になり、同時にバッグの使用がスムーズになる。
【００１３】
外側部Xと内側部Yの間に入れたシートSを安定させる為には、クリップKを使用して、内側部YとシートSを挟む。又は外側部Xと折り返し部Xaで上記内側部YとシートSを挟んでバッグの表面でアクセサリーとしても良い。
【実施例１】
【００１４】
軟質プラスチックバッグの大きさは、底３１cmと７cm、バッグの高さ３５cmで外側部の折り返し部分Xaを１７cmにした。この充分は折り返し部分Xaで外側部Xに合わせた内側部Yを覆いかぶせて内側に折り込む。この折り返し部分Xaは、内側部Yと外側部Xをより密着させ、更にその間に入れたシートSを固定させる事になる。また内側部Yの内側に設けたポケットPの保護策にもなる。
【実施例２】
【００１５】
外側部Xと内側部Yは図１のCでつなぐ事で、外側部Xと内側部Yの間に入れたシートをバッグ表面に均等に飾る事が出来る。
【実施例３】
【００１６】
外側部Xと内側部Yの間に入れるシートSを安定させる為に、内側部Y表面に両面テープを使用した。又、厚い生地の場合はクリップKを使用してシートSをより固定した。
【００１７】
バッグ外側部Xと内側部Yの間に入れるシートSは、好みの絵柄の生地、ハンカチ、タオル、又、洋服やリボン、スカーフとお揃いの生地等、更に、写真、絵柄等を外側部Xと内側部Yの間の大きさ、即ち、バッグの表面の大きさに合わせてカットして入れ替えをする。これらのシートは外側部Xと折り返し部Xaと内側部Yとで保護されるので、汚れたり傷んだりしない。
【符号の説明】
【００１８】
X    軟質プラスチックバッグ外側部
Xa   折り返し部
Y    軟質プラスチックバッグ内側部
T    手提げ部
Ta   手提げ付け位置
C    バッグの外側部と内側部のつなぎ部分
K    クリップ
S    シート
P    ポケット
【図２】
2011193890.tif 000003
【図３】
2011193890.tif 000004
【図１】
2011193890.tif 000005
【手続補正書】
【提出日】平成22年7月7日(2010.7.7)
【手続補正１】
【補正対象書類名】特許請求の範囲
【補正対象項目名】全文
【補正方法】変更
【補正の内容】
【特許請求の範囲】
【請求項１】
軟質プラスチックバッグの表面模様の取り替えを自由にする為に、透明又は透かして見える軟質プラスチックフィルムシートで作る外側部（X）に内側部（Y）を組み合わせて、２枚重ねの生地にしてバッグに仕立て、その外側部（X）と内側部（Y）の間にシート
（S）を入れ替え可能にすることと同時に、シート（S）を固定させる為に、外側部（X）上部にバッグの高さのほぼ中央の位置まで延出した持ち出しを作り、折り返し部（Xa）として内側部（Y）を上部から覆って内側に折り込み、外側部（X）と内側部（Y）の
間に入れたシート（S）を密着させ安定させたことを特徴とする手提げバッグ。
【請求項２】
前記折り返し部（Xa）を前記内側部（Y）の裏面に設けたポケット（P）の開口部を覆う位置まで延出させたことを特徴とする請求項1記載の手提げバッグ。